(57)【要約】【課題】配線の作業性が向上し、作業者に負担を強いるということが解消できるばかりか、スイッチのサイズを小さくすることを可能にする。【解決手段】コンジット口部９Ａから第１〜第６のリード線配線溝部１９−１〜１９−６を経由して第１〜第６のリード線仮保持部２２−１〜２２−６に至る距離を全て同じ長さにすることで、第１〜第６のリード線３１−１〜３１−６の長さを一定にするようにして、リード線をまとめて一定長さにカットすればよく、配線の作業性が向上し、余って弛んだリード線を収納するような配線収納スペースをケース本体に設ける必要がない。【選択図】図３
2008226733.tif 000002
【特許請求の範囲】
【請求項１】
スイッチケースに内蔵したスイッチング手段にケーブルの複数のリード線を配線するスイッチの配線構造であって、
前記スイッチング手段に導通し且つ前記各リード線を接続するリード線接続手段を備え、該リード線接続手段が、ケーブル挿入方向の軸に平行な平面に対して起立するように設けると共に、前記各リード線の長さを一定にする位置に配置するようにしたことを特徴とするスイッチの配線構造。
【請求項２】
スイッチケースに内蔵したスイッチング手段にケーブルの複数のリード線を配線するスイッチの配線構造であって、
前記スイッチング手段に導通し且つ前記各リード線を接続するリード線接続手段と、前記各リード線を配線保持するリード線配線手段とを備え、該リード線配線手段が、ケーブル挿入方向の軸に平行な平面に対して起立するように設けると共に、前記各リード線の長さを一定にする位置に配置するようにしたことを特徴とするスイッチの配線構造。
【請求項３】
前記リード線接続手段は、前記各リード線を圧接により接続する圧接手段であり、前記リード線配線手段は、前記各リード線を仮に保持するリード線仮保持手段を有しており、前記リード線仮保持手段を、前記各リード線の長さを一定にする位置に配置するようにしたことを特徴とする請求項１又は請求項２に記載のスイッチの配線構造。
【請求項４】
前記圧接手段が圧接端子であり、前記リード線仮保持手段は前記各リード線を仮保持するリード線仮保持部であり、前記スイッチケース内に配線保持部材を収容し、この配線保持部材に、前記各リード線が配置される配線配置部を複数設け、前記配線配置部に、前記圧接端子と前記リード線仮保持部を設け、前記リード線仮保持部を、前記各リード線を前記配線配置部に迂回させた状態で、前記各リード線の長さを一定にする位置に配置するようにしたことを特徴とする請求項３に記載のスイッチの配線構造。
【請求項５】
前記スイッチケースは、その前面が解放されたボックス形状のケース本体を有していて、前記ケース本体の周壁部に、前記ケーブルの端末部が挿入されるコンジットを設け、このコンジットの口部から前記配線配置部を経由して前記リード線仮保持部に至る距離を全て同じ長さにすることで、前記各リード線の長さを一定にするようにしたことを特徴とする請求項４に記載のスイッチの配線構造。
【請求項６】
前記リード線接続手段は、前記各リード線を圧接により接続する圧接手段であり、前記リード線配線手段は、前記各リード線を仮に保持するリード線仮保持手段を有しており、前記圧接手段を、前記各リード線の長さを一定にする位置に配置するようにしたことを特徴とする請求項１又は請求項２に記載のスイッチの配線構造。
【請求項７】
前記圧接手段が圧接端子であり、前記リード線仮保持手段は前記各リード線を仮保持するリード線仮保持部であり、前記スイッチケース内に配線保持部材を収容し、この配線保持部材に、前記各リード線が配置される配線配置部を複数設け、前記配線配置部に、前記圧接端子と前記リード線仮保持部を設け、前記圧接端子を、前記各リード線を前記配線配置部に迂回させた状態で、前記各リード線の長さを一定にする位置に配置するようにしたことを特徴とする請求項６に記載のスイッチの配線構造。
【請求項８】
前記圧接手段が圧接端子であり、前記リード線仮保持手段は前記各リード線を仮保持するリード線仮保持部であり、前記スイッチケース内に配線保持部材を収容し、この配線保持部材に、前記各リード線が配置される配線配置部を複数設け、前記配線配置部に前記圧接端子を設け、前記圧接端子を、前記各リード線を前記配線配置部に迂回させた状態で、前記各リード線の長さを一定にする位置に配置し、前記リード線配線手段は、前記圧接端子保持部材とは別部材であって前記各リード線を仮に保持するリード線仮保持部材を有しており、このリード線仮保持部材に、前記各リード線が配置される配線配置部を複数設け、前記配線配置部に、前記各リード線を仮保持するリード線仮保持部と、前記圧接端子の圧接部が挿入される圧接部挿通孔を設けて構成してあることを特徴とする請求項６に記載のスイッチの配線構造。
【請求項９】
前記スイッチケースは、その前面が解放されたボックス形状のケース本体を有していて、前記ケース本体の周壁部に、前記ケーブルの端末部が挿入されるコンジットを設け、このコンジットの口部から前記配線配置部を経由して前記圧接端子に至る距離を全て同じ長さにすることで、前記各リード線の長さを一定にするようにしたことを特徴とする請求項７又は請求項８に記載のスイッチの配線構造。
【請求項１０】
前記配線配置部は、前記各リード線が通るリード線配線溝部であり、前記リード線配線溝部は、当該リード線配線溝部に前記各リード線を迂回させた状態で、前記各リード線の長さを一定にする距離を有することを特徴とする請求項４又は請求項５又は請求項７又は請求項８又は請求項９に記載のスイッチの配線構造。
【請求項１１】
前記リード線接続手段は、前記各リード線を接続する端子台であり、これらの端子台を、前記各リード線の長さを一定にする位置に配置するようにしたことを特徴とする請求項１又は請求項２に記載のスイッチの配線構造。
【請求項１２】
前記スイッチケースは、その前面が解放されたボックス形状のケース本体を有していて、前記ケース本体の周壁部に、前記ケーブルの端末部が挿入されるコンジットを設け、前記コンジットの口部から前記端子台に至る距離を全て同じ長さにすることで、前記各リード線の長さを一定にするようにしたことを特徴とする請求項１１に記載のスイッチの配線構造。
【請求項１３】
前記リード線接続手段は、前記各リード線を接続する端子台であり、前記リード線配線手段は、前記スイッチケース内に収容された配線保持部材を有し、この配線保持部材には、前記各リード線が配置される配線配置部が複数設けてあり、前記各リード線を前記配線配置部に迂回させることにより、前記各リード線の長さを一定にすることを特徴とする請求項１又は請求項２に記載のスイッチの配線構造。
【請求項１４】
前記スイッチケースは、その前面が解放されたボックス形状のケース本体を有していて、前記ケース本体の周壁部に、前記ケーブルの端末部が挿入されるコンジットを設け、前記配線配置部は、前記コンジットの口部から前記端子台に至るリード線配線溝部であり、これらのリード線配線溝部を、当該リード線配線溝部に前記各リード線を迂回させた状態で、前記各リード線の長さを一定にする距離にすることで、前記各リード線の長さを一定にするようにしたことを特徴とする請求項１３に記載のスイッチの配線構造。
【発明の詳細な説明】
【技術分野】
【０００１】
本発明は、例えば、産業機械が設置される部屋の出入口などに取り付けられ、その出入口の扉が開かれたときには、産業機械等への電線供給を停止する安全スイッチ等のスイッチの配線構造に関する。
【背景技術】
【０００２】
産業機械が設置された部屋や工場などの危険ゾーンでは、作業者が機械に巻き込まれて負傷するといったトラブルの発生を防止することを目的として、部屋や危険ゾーンの出入口の扉が完全に閉まっていないときには、桟械の駆動をロックするシステムを設けることが要求される。
【０００３】
そのようなロックシステムとして安全スイッチであるキースイッチが提案されている。このキースイッチは、一般に、自動化された工作機械を設置した作業エリアの出入り口に設けた扉の開閉を検知して、工作機械の電源を入り切りし、また、工作機械が稼動しているときは扉を開けないようにロックするものである。
【０００４】
扉を閉めると扉側に備えた操作キーが、出入り口側に備えたキースイッチに挿入され、挿入された操作キーによってカム体が回転操作され、キースイッチに内蔵した電源回路開閉スイッチ部がスイッチオン状態に切り換えられて電源回路などが接続されると共に、カム体はロック手段により逆回転出来ないようにロックされ、操作キーが引き抜けない、すなわち扉を開けない状態にする。
【０００５】
このようなドアロックスイッチにおけるキースイッチには、上記した電源回路開閉スイッチとモニタスイッチの他に、電磁ソレノイドに給電するための端子台が配置してある。
【０００６】
そして、キースイッチのスイッチケースは、その前面が解放されたボックス形状のケース本体と、スイッチカバーと、ケース本体の前面開口部を覆う蓋体と、ヘッドカバーとで構成してあり、ケース本体の周壁部にはコンジットが設けてある。
【０００７】
そして、キースイッチが、工作機械を外囲した保護フェンスの扉における安全スイッチとして使用される場合、扉には操作キーが取付けられ、保護フェンスの支柱にはキースイッチが取付けられるのであるが、キースイッチはユーザー側において配線される。
【０００８】
この配線は、蓋体取付ねじを外すことで、ケース本体から蓋体を外して前面開口部を開け、コンジットに、工作機械に付設される配電盤からのケーブルの端末部を挿入して、このケーブルの複数本のリード線（ばら線）を、電源回路開閉スイッチとロック検知用のスイッチと端子台とのそれぞれの接続端子部に接続することにより行なわれていた（特許文献１参照）。
【特許文献１】特開２０００−２０７９７９号公報
【発明の開示】
【発明が解決しようとする課題】
【０００９】
上記したキースイッチにあっては、その配線がユーザー側で行なわれており、コンジットにケーブルの端末部を挿入して、このケーブルのリード線を端子の位置に合わせるために、リード線を端子毎に別々にカットする作業が必要になって、作業者に負担を強いることになる。また、予めリード線長さを一定にすると、余って弛んだリード線を収納するスペースがキースイッチのケース本体内に必要になり、スイッチのサイズが大きくなるという問題があった。
【００１０】
本発明は、上記の問題点に着目してなされたものであって、その目的とするところは、配線の作業性が向上し、作業者に負担を強いるということが解消できるばかりか、サイズを小さくすることを可能にするスイッチの配線構造を提供することである。
【課題を解決するための手段】
【００１１】
上記の目的を達成するために、本発明に係るスイッチの配線構造は、スイッチケースに内蔵したスイッチング手段にケーブルの複数のリード線を配線するスイッチの配線構造であって、スイッチング手段に導通し且つ各リード線を接続するリード線接続手段を備え、リード線接続手段が、ケーブル挿入方向の軸に平行な平面に対して起立するように設けると共に、各リード線の長さを一定にする位置に配置するようにしたことを特徴とする。
【００１２】
かかる構成により、リード線接続手段を、ケーブル挿入方向の軸に平行な平面に対して起立するように設けると共に、各リード線の長さを一定にする位置に配置することにより、各リード線が互いに重なることなく配置することができ、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。ここで、リード線接続手段とは、例えば、各リード線を圧接により接続する圧接手段、圧接端子が該当する。
【００１３】
また、上記の目的を達成するために、本発明に係るスイッチの配線構造は、スイッチケースに内蔵したスイッチング手段にケーブルの複数のリード線を配線するスイッチの配線構造であって、スイッチング手段に導通し且つ各リード線を接続するリード線接続手段と、各リード線を配線保持するリード線配線手段とを備え、リード線配線手段が、ケーブル挿入方向の軸に平行な平面に対して起立するように設けると共に、各リード線の長さを一定にする位置に配置するようにしたことを特徴とする。
【００１４】
かかる構成により、リード線配線手段を、ケーブル挿入方向の軸に平行な平面に対して起立するように設けると共に、各リード線の長さを一定にする位置に配置することにより、各リード線が互いに重なることなく配置することができることになり、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。ここで、リード線配線手段とは、例えば、各リード線を仮に保持するリード線仮保持手段、リード線仮保持部、リード線配線溝部が該当する。
【００１５】
そして、本発明に係るスイッチの配線構造は、上記した本発明に係るスイッチの配線構造において、リード線接続手段は、各リード線を圧接により接続する圧接手段であり、リード線配線手段は、各リード線を仮に保持するリード線仮保持手段を有しており、リード線仮保持手段を、各リード線の長さを一定にする位置に配置するようにしてもよい。
【００１６】
かかる構成により、リード線仮保持手段を、各リード線の長さを一定にする位置に配置することで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。ここで、圧接手段とは、例えば、圧接端子が該当し、リード線仮保持手段とは、例えば、リード線仮保持部、リード線配線溝部が該当する。
【００１７】
また、本発明に係るスイッチの配線構造は、上記した本発明に係るスイッチの配線構造において、圧接手段が圧接端子であり、リード線仮保持手段は各リード線を仮保持するリード線仮保持部であり、スイッチケース内に配線保持部材を収容し、この配線保持部材に、各リード線が配置される配線配置部を複数設け、配線配置部に、圧接端子とリード線仮保持部を設け、リード線仮保持部を、各リード線を配線配置部に迂回させた状態で、各リード線の長さを一定にする位置に配置するようにしてもよい。
【００１８】
かかる構成により、リード線仮保持部を、各リード線を配線配置部に迂回させた状態で、各リード線の長さを一定にする位置に配置することで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００１９】
また、本発明に係るスイッチの配線構造は、上記した本発明に係るスイッチの配線構造において、スイッチケースは、その前面が解放されたボックス形状のケース本体を有していて、ケース本体の周壁部に、ケーブルの端末部が挿入されるコンジットを設け、このコンジットの口部から配線配置部を経由してリード線仮保持部に至る距離を全て同じ長さにすることで、各リード線の長さを一定にするようにしてもよい。
【００２０】
かかる構成により、コンジットの口部から配線配置部を経由してリード線仮保持部に至る距離が全て同じ長さにしてあるために、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００２１】
また、本発明に係るスイッチの配線構造は、上記した本発明に係るスイッチの配線構造において、リード線接続手段は、各リード線を圧接により接続する圧接手段であり、リード線配線手段は、各リード線を仮に保持するリード線仮保持手段を有しており、圧接手段を、各リード線の長さを一定にする位置に配置するようにしてもよい。
【００２２】
かかる構成により、圧接手段を、各リード線の長さを一定にする位置に配置することで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００２３】
また、本発明に係るスイッチの配線構造は、上記した本発明に係るスイッチの配線構造において、圧接手段が圧接端子であり、リード線仮保持手段は各リード線を仮保持するリード線仮保持部であり、スイッチケース内に配線保持部材を収容し、この配線保持部材に、各リード線が配置される配線配置部を複数設け、配線配置部に、圧接端子とリード線仮保持部を設け、圧接端子を、各リード線を配線配置部に迂回させた状態で、各リード線の長さを一定にする位置に配置するようにしてもよい。
【００２４】
かかる構成により、圧接手段を、各リード線を配線配置部に迂回させた状態で、各リード線が互いに重なることがなく、その長さを一定にする位置に配置することで、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００２５】
また、本発明に係るスイッチの配線構造は、上記した本発明に係るスイッチの配線構造において、圧接手段が圧接端子であり、リード線仮保持手段は各リード線を仮保持するリード線仮保持部であり、スイッチケース内に配線保持部材を収容し、この配線保持部材に、各リード線が配置される配線配置部を複数設け、配線配置部に圧接端子を設け、圧接端子を、各リード線を配線配置部に迂回させた状態で、各リード線の長さを一定にする位置に配置し、リード線配線手段は、圧接端子保持部材とは別部材であって各リード線を仮に保持するリード線仮保持部材を有しており、このリード線仮保持部材に、各リード線が配置される配線配置部を複数設け、配線配置部に、各リード線を仮保持するリード線仮保持部と、圧接端子の圧接部が挿入される圧接部挿通孔を設けた構成にしてもよい。
【００２６】
かかる構成により、リード線接続手段は、圧接手段としての圧接端子あり、これらの圧接端子を、各リード線を配線配置部に迂回させた状態で、各リード線の長さを一定にする位置に配置することで各リード線の長さを一定にすることができる。
【００２７】
また、本発明に係るスイッチの配線構造は、上記した本発明に係るスイッチの配線構造において、スイッチケースは、その前面が解放されたボックス形状のケース本体を有していて、ケース本体の周壁部に、ケーブルの端末部が挿入されるコンジットを設け、このコンジットの口部から配線配置部を経由して圧接端子に至る距離を全て同じ長さにすることで、各リード線の長さを一定にするようにしてもよい。
【００２８】
かかる構成により、コンジットの口部から配線配置部を経由して圧接端子に至る距離を全て同じ長さにすることで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００２９】
また、本発明に係るスイッチの配線構造は、上記した本発明に係るスイッチの配線構造において、配線配置部は、各リード線が通るリード線配線溝部であり、リード線配線溝部は、当該リード線配線溝部に各リード線を迂回させた状態で、各リード線の長さを一定にする距離を有するようにしてもよい。
【００３０】
かかる構成により、リード線配線溝部は、当該リード線配線溝部に各リード線を迂回させた状態で、各リード線の長さを一定にする距離を有するために、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００３１】
また、本発明に係るスイッチの配線構造は、上記した本発明に係るスイッチの配線構造において、リード線接続手段は、各リード線を接続する端子台であり、これらの端子台を、各リード線の長さを一定にする位置に配置するようにしてもよい。
【００３２】
かかる構成により、端子台を、各リード線の長さを一定にする位置に配置することで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００３３】
また、本発明に係るスイッチの配線構造は、上記した本発明に係るスイッチの配線構造において、スイッチケースは、その前面が解放されたボックス形状のケース本体を有していて、ケース本体の周壁部に、ケーブルの端末部が挿入されるコンジットを設け、コンジットの口部から端子台に至る距離を全て同じ長さにすることで、各リード線の長さを一定にするようにしてもよい。
【００３４】
かかる構成により、コンジットの口部から端子台に至る距離を全て同じ長さにすることで、各リード線が互いに重なることがなく、その長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００３５】
また、本発明に係るスイッチの配線構造は、上記した本発明に係るスイッチの配線構造において、リード線接続手段は、各リード線を接続する端子台であり、リード線配線手段は、スイッチケース内に収容された配線保持部材を有し、この配線保持部材には、各リード線が配置される配線配置部が複数設けてあり、各リード線を配線配置部に迂回させることにより、各リード線の長さを一定にするようにしてもよい。
【００３６】
かかる構成により、端子台を、各リード線を配線配置部に迂回させた状態で、各リード線が互いに重なることがなく、その長さを一定にする位置に配置することで、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【００３７】
また、本発明に係るスイッチの配線構造は、上記した本発明に係るスイッチの配線構造において、スイッチケースは、その前面が解放されたボックス形状のケース本体を有していて、ケース本体の周壁部に、ケーブルの端末部が挿入されるコンジットを設け、配線配置部は、コンジットの口部から端子台に至るリード線配線溝部であり、これらのリード線配線溝部を、当該リード線配線溝部に各リード線を迂回させた状態で、各リード線の長さを一定にする距離にすることで、各リード線の長さを一定にするようにしてもよい。
【００３８】
かかる構成により、リード線配線溝を、当該リード線配線溝部に各リード線を迂回させた状態で、各リード線が互いに重なることがなく、その長さを一定にする距離にすることで、各リード線の長さを一定にすることができる。このために、リード線をまとめて一定長さにカットすればよいために、配線の作業性が向上し、作業者に負担を強いるということが解消できるばかりか、余って弛んだリード線を収納する配線スペースがケース本体内に必要なくなり、スイッチの外形サイズを小さくすることが可能になる。
【発明の効果】
【００３９】
本発明に係るスイッチの配線構造によれば、各リード線が互いに重なることがなく、その長さを一定にすることができるために、リード線をまとめて一定長さにカットすればよく、配線の作業性が向上し、作業者に負担を強いるということが解消できるばかりか、余って弛んだリード線を収納する配線スペースがケース本体内に必要なくなり、スイッチの外形サイズを小さくすることが可能になる。
【発明を実施するための最良の形態】
【００４０】
以下、図面によって本発明の実施の形態について詳細に説明する。
【００４１】
（実施の形態１）
本発明の実施の形態１を、図１乃至図３に基づいて説明する。
【００４２】
図１は本発明に係る配線構造（実施の形態１）を有するスイッチの斜視図、図２は同スイッチにおいて、蓋体を外した状態の斜視図、図３は同スイッチの配線構造の構成説明図である。
【００４３】
図１及び図２に示すように、スイッチＡは、出入り口の固定枠（図示せず）に取付けられるスイッチ本体１と、開閉される扉（図示せず）に取付けられる操作キー（図示せず）とからなる。そして、スイッチ本体１は、本体ブロック２と、この本体ブロック２に取付けられたヘッドブロック３を備えている。
【００４４】
そして、本体ブロック２は、その前面が解放されたボックス形状のスイッチケース６を備えており、このスイッチケース６の前面開口部６Ａは蓋体７により開閉されるものであり、この蓋体７は取付けねじ８によりスイッチケース６に取付けてある。また、スイッチケース６の周壁部には、図１において下部にはコンジット９が設けてある。ヘッドブロック３はヘッドケース４を備えており、このヘッドケース４には、その正面部にキー挿入口５Ａが、頂部にキー挿入口５Ｂがそれぞれ設けてある。
【００４５】
スイッチケース６内にはスイッチング手段であるスイッチング機構（図示せず）が組み込んであり、また、ヘッドケース４にはスイッチング機構を操作する操作キー動作受動手段である接点切換手段としての回転カムと、この回転カムを支持するベース（いずれも図示せず）が組込まれている。
【００４６】
また、図２及び図３に示すように、スイッチケース６内には、スイッチング機構を被うようにして配線保持部材１２が配置してある。この配線保持部材１２はベース部１３を有しており、このベース部１３の図２において下縁部の両側に取付け座部１４が設けてある。ベース部１３には、ケーブル挿入方向Ｆに沿う配線配置部である第１〜第６のリード線配線溝部１９−１〜１９−６が、このケーブル挿入方向Ｆとは直角方向（横方向）に所定の間隔で設けてある。
【００４７】
また、第１〜第６のリード線配線溝部１９−１〜１９−６には、図３において上方に、リード線仮保持手段である第１〜第６のリード線仮保持部２２−１〜２２−６が配置してあり、また、図３において下方に、リード線仮保持手段である第１〜第６のリード線仮保持部２３−１〜２３−６が配置してある。これらのリード線仮保持部２２−１〜２２−６，２３−１〜２３−６は、相対向する隔壁部に挟持用突起部２４を突設して、これらの挟持用突起部２４間に隙間を設けて構成してある。
【００４８】
図３に示すように、第１〜第６のリード線仮保持部２２−１〜２２−６は、第１〜第６のリード線配線溝部１９−１〜１９−６によって、その配置位置が異ならせてある。すなわち、第１のリード線仮保持部２２−１と第６のリード線仮保持部２２−６とは、ケーブル挿入方向Ｆとは直角方向（横方向）に沿う直線上にあり、第２のリード線仮保持部２２−２と第５のリード線仮保持部２２−５とは、ケーブル挿入方向Ｆとは直角方向（横方向）に沿う直線上で且つ第１及び第６のリード線仮保持部２２−１，２２−６より図３において上方に位置しており、さらに、第３のリード線仮保持部２２−３と第６のリード線仮保持部２２−４とは、ケーブル挿入方向Ｆとは直角方向（横方向）に沿う直線上で且つ第２、第５のリード線仮保持部２２−２，２２−５より図３において上方に位置している。従って、第１〜第６のリード線仮保持部２２−１〜２２−６は、ケーブル挿入方向Ｆの軸に対して平行な平面イに沿って、山形状に配置されていることになる。
【００４９】
この場合、コンジット９の口部（以下、コンジット口部という）９Ａから第１のリード線配線溝部１９−１を経由して第１のリード線仮保持部２２−１に至る距離と、コンジット口部９Ａから第２のリード線配線溝部１９−２を経由して第２のリード線仮保持部２２−２に至る距離と、コンジット口部９Ａから第３のリード線配線溝部１９−３を経由して第３のリード線仮保持部２２−３に至る距離と、コンジット口部９Ａから第４のリード線配線溝部１９−４を経由して第４のリード線仮保持部２２−４に至る距離と、コンジット口部９Ａから第５のリード線配線溝部１９−５を経由して第５のリード線仮保持部２２−５に至る距離と、コンジット口部９Ａから第６のリード線配線溝部１９−６を経由して第６のリード線仮保持部２２−６に至る距離とは、全て同じ長さになっている。
【００５０】
そして、図３に示すように、上記のように構成された配線保持部材１２は、スイッチケース６内に、スイッチング機構を被うようにして収容してあって、取付け座部１４を用いてスイッチケース６にねじ止めしてある。そして、第１〜第６のリード線配線溝部１９−１〜１９−６の略中央には、リード線接続手段としての圧接手段である第１〜第６の圧接端子２７−１〜２７−６が、ケーブル挿入方向Ｆとは直角方向（横方向）の一直線上に取付けてあって、これらの第１〜第６の圧接端子２７−１〜２７−６の圧接部２７ａに連なるリード脚部２７ｂがスイッチ端子のリード脚部（いずれも図示せず）に接続してある。
【００５１】
上記にように、リード線配線手段である第１〜第６のリード線配線溝部１９−１〜１９−６は、ケーブル挿入方向Ｆの軸に対して平行な平面イ上にあり、リード線接続手段である第１〜第６の圧接端子２７−１〜２７−６の圧接部２７ａは、平面イに対して、例えば直交方向ロになるように、起立して設けてある。また、蓋体７の裏面には、第１〜第６の圧接端子２７−１〜２７−６に対向する位置に圧接用突起部（図示せず）が突設してある。
【００５２】
上記のように構成された配線構造に配線を行うのであるが、この場合、ケーブル３０の端末部には第１〜第６のリード線３１−１〜３１−６が剥ぎ出しにしてあり、剥ぎ出された第１〜第６のリード線３１−１〜３１−６の長さは同じであり、コンジット口部９Ａから第１のリード線配線溝部１９−１を経由して第１のリード線仮保持部２２−１に至る距離長よりやや長目にしてある。
【００５３】
そして、ケーブル３０をコンジット９に挿入して、第１のリード線３１−１を第１のリード線配線溝部１９−１に挿入して第１の圧接端子２７−１の圧接部２７ａに差込むと共に、第１のリード線３１−１の端末部を第１のリード線仮保持部２２−１，２３−１で仮保持する。同様に、第２のリード線３１−２を第２のリード線配線溝部１９−２に挿入して第２の圧接端子２７−２の圧接部２７ａに差込むと共に、第２のリード線３１−２の端末部を第２のリード線仮保持部２２−２，２３−２で仮保持し、第３のリード線３１−３を第３のリード線配線溝部１９−３に挿入して第３の圧接端子２７−３の圧接部２７ａに差込むと共に、第３のリード線３１−３の端末部を第３のリード線仮保持部２２−３，２３−３で仮保持する。
【００５４】
また、第４のリード線３１−４を第１のリード線配線溝部１９−４に挿入して第４の圧接端子２７−４の圧接部２７ａに差込むと共に、第４のリード線３１−４の端末部を第４のリード線仮保持部２２−４，２３−４で仮保持する。同様に、第５のリード線３１−５を第５のリード線配線溝部１９−５に挿入して第５の圧接端子２７−５の圧接部２７ａに差込むと共に、第５のリード線３１−５の端末部を第５のリード線仮保持部２２−５，２３−５で仮保持し、第６のリード線３３１−６を第６のリード線配線溝部１９−６に挿入して第６の圧接端子２７−６の圧接部２７ａに差込むと共に、第６のリード線３１−６の端末部を第６のリード線仮保持部２２−６，２３−６で仮保持する。
【００５５】
次に、スイッチケース６の前面開口部６Ａに蓋体７を被せて、この蓋体７を取付けねじ８によりスイッチケース６に取付ける。この場合、蓋体７の裏面の圧接用突起部が、第１〜第６のリード線３１−１〜３１−６を第１〜第６の圧接端子２７−１〜２７−６の圧接部２７ａに押込み圧接接続が行われる。このために、第１〜第６のリード線３１−１〜３１−６は、第１〜第６の圧接端子２７−１〜２７−６を経て対応するスイッチ端子に接続される。
【００５６】
以上説明したように、本発明の実施の形態１によれば、コンジット口部９Ａから第１〜第６のリード線配線溝部１９−１〜１９−６を経由して第１〜第６のリード線仮保持部２２−１〜２２−６に至る距離を全て同じ長さにすることで、第１〜第６のリード線３１−１〜３１−６が互いに重なることがなく、その長さを一定にするようにしたことができる。このために、第１〜第６のリード線３１−１〜３１−６をまとめて一定長さにカットすればよいために、配線の作業性が向上し、作業者に負担を強いるということが解消できる。
【００５７】
（実施の形態２）
本発明の実施の形態２を、図４に基づいて説明する。なお、上記した本発明の実施の形態１の構成と同様な構成については、その説明を省略する。
【００５８】
上記した本発明の実施の形態１では、第１〜第６の圧接端子２７−１〜２７−６を、ケーブル挿入方向Ｆとは直角方向（横方向）に沿う直線上に配置して、各圧接部２７ａを一直線上に配したが、図４に示すように、本発明の実施の形態２では、各圧接部２７ａが、それぞれが対応する第１〜第６のリード線仮保持部２２−１〜２２−６と同じ距離を置くように第１〜第６の圧接端子２７−１〜２７−６を配置するようにしてあり、他の構成は、本発明の実施の形態１の構成と同様にしてある。
【００５９】
すなわち、本発明の実施の形態２では、スイッチケース６内に収容された配線保持部材１２の面部に、第１〜第６のリード線配線溝部１９−１〜１９−６を複数設け、第１〜第６のリード線配線溝部１９−１〜１９−６に、第１〜第６の圧接端子２７−１〜２７−６と、第１〜第６のリード線仮保持部２２−１〜２２−６，２３−１〜２３−６を設け、コンジット口部９Ａから配線配置部である第１〜第６のリード線配線溝部１９−１〜１９−６を経由して第１〜第６の圧接端子２７−１〜２７−６に至る距離を全て同じ長さにすることで、第１〜第６のリード線３１−１〜３１−６の長さを一定にするようにしたものである。
【００６０】
なお、リード線配線手段である第１〜第６のリード線配線溝部１９−１〜１９−６は、ケーブル挿入方向Ｆの軸に対して平行な平面イ上にあり、リード線接続手段である第１〜第６の圧接端子２７−１〜２７−６の圧接部２７ａは、平面イに対して、例えば直交方向ロになるように、起立して設けてある。
【００６１】
したがって、本発明の実施の形態２によれば、第１〜第６のリード線３１−１〜３１−６が互いに重なることがなく、その長さを一定にすることができる。このために、第１〜第６のリード線３１−１〜３１−６をまとめて一定長さにカットすればよいために、配線の作業性が向上し、作業者に負担を強いるということが解消できる。
【００６２】
（実施の形態３）
本発明の実施の形態３を、図５乃至図９に基づいて説明する。なお、上記した本発明の実施の形態１の構成と同様な構成については、その説明を省略する。
【００６３】
本発明の実施の形態３にあっては、リード線接続手段は、圧接手段としての第１〜第６の圧接端子２７−１〜２７−６であり、これらの第１〜第６の圧接端子２７−１〜２７−６をスイッチケース６内の圧接端子保持部材１２−１に設けると共に、コンジット口部９Ａから配線配置部である第１〜第６のリード線配線溝部１９−１〜１９−６を経由して第１〜第６の圧接端子２７−１〜２７−６に至る距離を全て同じ長さにすることで、第１〜第６のリード線３１−１〜３１−６の長さを一定にする位置に配置してある。
【００６４】
また、図９に示すように、リード線配線手段は、圧接端子保持部材１２−１とは別部材であるリード線仮保持部材３３を有しており、このリード線仮保持部材３３の面部に、第１〜第６のリード線３１−１〜３１−６が配置される配線配置部である第１〜第６のリード線配線溝部３４−１〜３４−６を複数設け、第１〜第６のリード線配線溝部３４−１〜３４−６に、第１〜第６のリード線３１−１〜３１−６を仮保持するリード線仮保持部３５と、第１〜第６の圧接端子２７−１〜２７−６の圧接部２７ａが挿入される圧接部挿入孔であるスリット状の圧接部挿通孔３６を設けている。
【００６５】
すなわち、図７に示すように、配線保持部材１２−１において、第１〜第６の圧接端子２７−１〜２７−６が第１〜第６のリード線配線溝部１９−１〜１９−６によって、その配置位置が異ならせてある。すなわち、第１の圧接端子２７−１の圧接部２７ａと第６の圧接端子２７−６の圧接部２７ａとは、ケーブル挿入方向Ｆとは直角方向（横方向）に沿う直線上にあり、第２の圧接端子２７−２の圧接部２７ａと第５の圧接端子２７−５の圧接部２７ａとは、ケーブル挿入方向Ｆとは直角方向（横方向）に沿う直線上で且つ第１及び第６の圧接端子２７−１，２７−６の圧接部２７ａより図７において上方に位置している。さらに、第３の圧接端子２７−３の圧接部２７ａと第６の圧接端子２７−６の圧接部２７ａとは、ケーブル挿入方向Ｆとは、直角方向（横方向）に沿う直線上で且つ第２、第５の圧接端子２７−２，２７−５の圧接部２７ａより図７において上方に位置している。従って、第１の圧接端子２７−１の圧接部２７ａ〜第６の圧接端子２７−６の圧接部２６ａは、ケーブル挿入方向Ｆの軸に対して平行な平面イに沿って、山形状に配置されていることになる。
【００６６】
このように、リード線接続手段は、圧接手段としての第１〜第６の圧接端子２７−１〜２７−６であり、これらの第１〜第６の圧接端子２７−１〜２７−６をスイッチケース６内の圧接端子保持部材１２−１に設け、コンジット口部９Ａから第１〜第６のリード線配線溝部１９−１〜１９−６を経由して第１〜第６の圧接端子２７−１〜２７−６に至る距離を全て同じ長さにすることで第１〜第６のリード線３１−１〜３１−６が互いに重なることがなく、その長さを一定にすることができる。
【００６７】
図８及び図９に示すように、リード線仮保持部材３３は、長方形状の部材本体３３Ａを有しており、この部材本体３３Ａの表面３３ａには、その短手方向に沿う第１〜第６のリード線挿入溝部３４−１〜３４−６が、長手方向に所定の間隔で形成してある。これらの第１〜第６のリード線挿入溝部３４−１〜３４−６の一端部（図９において上端部）は閉塞端であり、他端部（図９において下端部）が開放端にしてある。そして、第１〜第６のリード線挿入溝部３４−１〜３４−６の開放端部には第１〜第６のリード線仮保持部３５−１〜３５−６が設けてある。これらの第１〜第６のリード線仮保持部３５−１〜３５−６は、リード線挿入溝部３４の両側面部に挟持用突起部３５ａを突設して、これらの挟持用突起部３５ａ間に隙間を設けて構成してある。
【００６８】
また、第１〜第６のリード線挿入溝部３４−１〜３４−６の底部にはスリット状の圧接部挿通孔３６が設けてある。これらの圧接部挿通孔３６の配列は、配線保持部材１２−１における第１〜第６の圧接端子２７−１〜２７−６の圧接部２７ａの配列に対応させてある。
【００６９】
なお、リード線配線手段である第１〜第６のリード線配線溝部１９−１〜１９−６は、ケーブル挿入方向Ｆの軸に対して平行な平面イ上にあり、リード線接続手段である第１〜第６の圧接端子２７−１〜２７−６の圧接部２７ａは、平面イに対して、例えば直交方向ロになるように、起立して設けてある。
【００７０】
上記のように構成された配線構造に配線を行うのであるが、この場合、ケーブル３０の端末部には六本のリード線３１−１〜３１−６が剥ぎ出しにしてあり、剥ぎ出されたリード線３１−１〜３１−６の長さは同じにしてある。
【００７１】
まず、ケーブル３０をコンジット９に挿入して、第１のリード線３１−１をリード線仮保持部材３３の第１のリード線挿入溝部３４−１に挿入して第１のリード線仮保持部３５−１で仮保持する。この仮保持は、両突起部３５ａ間に第１のリード線３１−１を嵌め込んで行う。同様に、第２のリード線３１−２を第２のリード線挿入溝部３４−２に挿入して第２のリード線仮保持部３５−２で第２のリード線３１−２を仮保持し、第３のリード線３１−３を第３のリード線挿入溝部３４−３に挿入して第３のリード線仮保持部３５−３で第３のリード線３１−３を仮保持する。
【００７２】
また、第４のリード線３１−４を第４のリード線挿入溝部３４−４に挿入して第４のリード線仮保持部３５−４で仮保持し、第５のリード線３１−５を第５のリード線挿入溝部３４−５に挿入して第５のリード線仮保持部３５−１で仮保持し、第６のリード線３１−６を第６のリード線挿入溝部３４−６に挿入して第６のリード線仮保持部３５−１で仮保持する。
【００７３】
次に、リード線仮保持部材３３を、図６に示す矢印方向に移動して配線保持部材１２−１に重ねることで、第１〜第６の圧接端子２７−１〜２７−６の圧接部２７ａを、それぞれが対応する第１〜第６の圧接端子２７−１〜２７−６に差し込む。
【００７４】
次に、スイッチケース６の前面開口部６Ａに蓋体７を被せて、この蓋体７を取付けねじ８によりスイッチケース６に取付ける。この場合、蓋体７が、リード線仮保持部材３３を押込み、第１〜第６のリード線３１−１〜３１−６を第１〜第６の圧接端子２７−１〜２７−６の圧接部２７に押込み圧接接続が行われる。この場合、圧接部２７ａは第１〜第６の圧接部挿通孔３６−１〜３６−６に挿通される。このために、第１〜第６のリード線３１−１〜３１−６は、第１〜第６の圧接端子２７−１〜２７−６を経て対応するスイッチ端子に接続される。
【００７５】
以上説明したように、本発明の実施の形態３によれば、リード線接続手段は、圧接手段としての第１〜第６の圧接端子２７−１〜２７−６であり、これらの第１〜第６の圧接端子２７−１〜２７−６をスイッチケース６内の圧接端子保持部材１２−１に設け、コンジット口部９Ａから第１〜第６のリード線配線溝部１９−１〜１９−６を経由して第１〜第６の圧接端子２７−１〜２７−６に至る距離を全て同じ長さにすることで第１〜第６のリード線３１−１〜３１−６の長さを一定にすることができる。
【００７６】
（実施の形態４）
本発明の実施の形態４を、図１０に基づいて説明する。なお、上記した本発明の実施の形態１の構成と同様な構成については、その説明を省略する。
【００７７】
本発明の実施の形態４にあっては、リード線接続手段は、第１〜第６のリード線３１−１〜３１−６を接続する第１〜第６の端子台４０−１〜４０−６であり、コンジット口部９Ａから第１〜第６のリード線３１−１〜３１−６に至る距離を全て同じ長さにすることで、第１〜第６のリード線３１−１〜３１−６の長さを一定にするようにしている。
【００７８】
すなわち、図１０に示すように、配線保持部材１２−２のベース部１３の面部には、第１〜第６の端子台４０−１〜４０−６が、ケーブル挿入方向Ｆとは直角方向（横方向）に所定の間隔で設けてある。第１〜第６の端子台４０−１〜４０−６は、端子台本体４１に接触端子部４２を固着して、この接触端子部４２に押え部材４４をねじ部材４３で止めた構成である。
【００７９】
そして、第１〜第６の端子台４０−１〜４０−６は、その配置位置が異ならせてある。すなわち、第１の端子台４０−１と第６の端子台４０−６とは、ケーブル挿入方向Ｆとは直角方向（横方向）に沿う直線上にあり、第２の端子台４０−２と第５の端子台４０−５とは、ケーブル挿入方向Ｆとは直角方向（横方向）に沿う直線上で且つ第１及び第６の端子台４０−１，４０−６より図１０において上方に位置している。さらに、第３の端子台４０−３と第４の端子台４０−４とは、ケーブル挿入方向Ｆとは、直角方向（横方向）に沿う直線上で且つ第２、第５の端子台４０−２，４０−５より図１０において上方に位置している。従って、第１〜第６の端子台４０−１〜４０−６は、ケーブル挿入方向Ｆの軸に対して平行な平面イに沿って、山形状に配置されていることになる。
【００８０】
この場合、コンジット口部９Ａから第１の端子台４０−１までの距離と、コンジット口部９Ａから第２の端子台４０−２までの距離と、コンジット口部９Ａから第３の端子台４０−３までの距離と、コンジット口部９Ａから第４の端子台４０−４までの距離と、コンジット口部９Ａから第５の端子台４０−５までの距離と、コンジット口部９Ａから第６の端子台４０−６までの距離とは、全て同じ長さになっている。また、ベース部１３の面部には、図１０において下縁部の両側に取付け座部１４が設けてある。
【００８１】
そして、配線保持部材１２−２は、ケーブル挿入方向Ｆの軸に対して平行な平面イ上にあり、第１〜第６の圧接端子２７−１〜２７−６の圧接部２７ａは、平面イに対して、例えば直交方向ロになるように、起立して設けてある。
【００８２】
また、図１０に示すように、上記のように構成された配線保持部材１２−２は、スイッチケース６内に、スイッチング機構を被うようにして収容してあって、取付け座部１４を用いてスイッチケース６にねじ止めしてある。この場合、第１〜第６の端子台４０−１〜４０−６の接触端子部４２のリード脚部（図示せず）がスイッチ端子のリード脚部に接続している。なお、蓋体７の裏面には圧接用突起部はなく、平坦である。
【００８３】
上記のように構成された配線構造に配線を行うのであるが、この場合、ケーブル３０の端末部には第１〜第６のリード線３１−１〜３１−６が剥ぎ出しにしてあり、剥ぎ出された第１〜第６のリード線３１−１〜３１−６の長さは同じにしてある。
【００８４】
まず、ケーブル３０をコンジット９に挿入して、第１のリード線３１−１を第１の端子台４０−１に接続する。この接続は、接触端子部４２と押え部材４４とで、第１のリード線３１−１の導電線を挟み、ねじ部材４３を締付けて固定することで行われる。同様に、第２のリード線３１−２を第２の端子台４０−２に接続し、第３のリード線３１−３を第３の端子台４０−３に接続し、第４のリード線３１−４を第４の端子台４０−４に接続し、第５のリード線３１−５を第５の端子台４０−５に接続し、第６のリード線３１−６を第６の端子台４０−６に接続する。このために、第１〜第６のリード線３１−１〜３１−６は、第１〜第６の端子台４０−１〜４０−６を経て対応するスイッチ端子に接続される。
【００８５】
次に、スイッチケース６の前面開口部６Ａに蓋体７を被せて、この蓋体７を取付けねじ８によりスイッチケース６に取付ける。
【００８６】
以上説明したように、本発明の実施の形態４によれば、コンジット口部９Ａから第１〜第６の端子台４０−１〜４０−６に至る距離を全て同じ長さにすることで、第１〜第６のリード線３１−１〜３１−６が互いに重なることがなく、その長さを一定にすることができる。
【００８７】
（実施の形態５）
本発明の実施の形態５を、図１１に基づいて説明する。なお、上記した本発明の実施の形態１の構成と同様な構成については、その説明を省略する。
【００８８】
本発明の実施の形態５にあっては、リード線接続手段は、第１〜第６のリード線３１−１〜３１−６を接続する第１〜第６の端子台４０−１〜４０−６であり、リード線配線手段は、コンジット口部９Ａから第１〜第６の端子台４０−１〜４０−６に至る第１〜第６のリード線挿入溝部４１−１〜４１−６であり、第１〜第６のリード線挿入溝部４１−１〜４１−６を、当該第１〜第６のリード線挿入溝部４１−１〜４１−６に第１〜第６のリード線３１−１〜３１−６を挿入し迂回させた状態で、第１〜第６のリード線３１−１〜３１−６の長さを一定にする距離にすることで、第１〜第６のリード線３１−１〜３１−６の長さを一定にしている。
【００８９】
すなわち、図１１に示すように、配線保持部材１２−３のベース部１３の面部には、第１〜第６の端子台４０−１〜４０−６が、ケーブル挿入方向Ｆとは直角方向（横方向）の一直線上に所定の間隔で設けてある。第１〜第６の端子台４０−１〜４０−６は、端子台本体４１に接触端子部４２を固着して、この接触端子部４２に押え部材４４をねじ部材４３で止めた構成である。
【００９０】
そして、ベース部１３の面部には第１〜第６のリード線挿入溝部４１−１〜４１−６が形成してある。そして、これらの第１〜第６のリード線挿入溝部４１−１〜４１−６のうちの、コンジット口部９Ａから直線距離が短い第３、第４の端子台４０−３，４０−４に至る第３、第４のリード線挿入溝部３１−３，３１−４は距離を稼いで（迂回して）第３、第４のリード線２７−３，２７−４を引き回すようにしてあり、コンジット口部９Ａから直線距離が遠い第１、第６の端子台４０−１，４０−６に至る第１、第６のリード線挿入溝部４１−１，４１−６は最短距離（直線）で第１、第６のリード線３１−１，３１−６を引き回すようにしてある。また、第２、第４のリード線挿入溝部４１−２，４１−４は、第３、第４のリード線挿入溝部４１−３，４１−４より短い距離で第２、第４のリード線３１−２，３１−４を引き回すようにしてある。
【００９１】
この場合、コンジット口部９Ａから第１のリード線挿入溝部４１−１を経て第１の端子台４０−１に至る距離と、コンジット口部９Ａから第２のリード線挿入溝部４１−２を経て第２の端子台４０−２に至る距離と、コンジット口部９Ａから第３のリード線挿入溝部４１−３を経て第３の端子台４０−３に至る距離と、コンジット口部９Ａから第４のリード線挿入溝部４１−４を経て第４の端子台４０−４に至る距離と、コンジット口部９Ａから第５のリード線挿入溝部４１−５を経て第５の端子台４０−５に至る距離と、コンジット口部９Ａから第６のリード線挿入溝部４１−６を経て第６の端子台４０−６に至る距離とは、全て同じ長さになっている。この結果、第１〜第６の端子台４０−１〜４０−６は、ケーブル挿入方向Ｆの軸に対して平行な平面イに沿って、一列に並置された状態で配置されていることになる。
【００９２】
また、ベース部１３の面部には、図１１において下縁部の両側に取付け座部１４が設けてある。
【００９３】
なお、リード線配線手段である第１〜第６のリード線配線溝部１９−１〜１９−６は、ケーブル挿入方向Ｆの軸に対して平行な平面イ上にあり、リード線接続手段である第１〜第６の端子台４０−１〜４０−６は、平面イに対して、例えば直交方向ロになるように、起立して設けてある。
【００９４】
そして、図１１に示すように、上記のように構成された配線保持部材１２−３は、スイッチケース６内に、スイッチング機構を被うようにして収容してあって、取付け座部１４を用いてスイッチケース６にねじ止めしてある。この場合、第１〜第６の端子台４０−１〜４０−６の接触端子部４２のリード脚部（図示せず）がスイッチ端子のリード脚部に接続している。なお、蓋体７の裏面には圧接用突起部は無く、平坦である。
【００９５】
上記のように構成された配線構造に配線を行うのであるが、この場合、ケーブル３０の端末部には第１〜第６のリード線３１−１〜３１−６が剥ぎ出しにしてあり、剥ぎ出された第１〜第６のリード線３１−１〜３１−６の長さは同じにしてある。
【００９６】
まず、ケーブル３０をコンジット９に挿入して、第１のリード線３１−１を第１のリード線挿入溝部４１−１に挿入した状態でリード線仮保持部材３３の第１の端子台４０−１に接続する。この接続は、接触端子部４２と押え部材４４とで、第１のリード線３１−１の導電線を挟み、ねじ部材４３を締付けて固定することで行われる。同様に、第２のリード線３１−２を第２のリード線挿入溝部４１−２に挿入した状態で第２の端子台４０−２に接続し、第３のリード線３１−３を第３のリード線挿入溝部４１−３に挿入した状態で第３の端子台４０−３に接続し、第４のリード線３１−４を第４のリード線挿入溝部４１−４に挿入した状態で第４の端子台４０−４に接続し、第５のリード線３１−５を第５のリード線挿入溝部４１−５に挿入した状態で第５の端子台４０−５に接続し、第６のリード線３１−６を第６のリード線挿入溝部４１−６に挿入した状態で第６の端子台４０−６に接続する。このために、第１〜第６のリード線３１−１〜３１−６は、第１〜第６の端子台４０−１〜４０−６を経て対応するスイッチ端子に接続される。
【００９７】
次に、スイッチケース６の前面開口部６Ａに蓋体７を被せて、この蓋体７を取付けねじ８によりスイッチケース６に取付ける。
【００９８】
以上説明したように、本発明の実施の形態５によれば、第１〜第６のリード線挿入溝部４１−１〜４１−６が、当該第１〜第６のリード線挿入溝部４１−１〜４１−６に第１〜第６のリード線３１−１〜３１−６を通した状態で、第１〜第６のリード線３１−１〜３１−６の長さを一定にする距離を有するために、第１〜第６のリード線３１−１〜３１−６が互いに重なることがなく、その長さを一定にすることができる。
【産業上の利用可能性】
【００９９】
本発明の安全スイッチによれば、各リード線が互いに重なることがなく、その長さを一定にすることができるために、リード線をまとめて一定長さにカットすればよく、配線の作業性が向上し、作業者に負担を強いるということが解消できるばかりか、余って弛んだリード線を収納する配線スペースがケース本体内に必要なくなり、スイッチの外形サイズを小さくすることが可能になるという効果を有しており、産業機械が設置される部屋の出入口などに取り付けられる安全スイッチ等の安全スイッチの配線構造等として有用である。
【図面の簡単な説明】
【０１００】
【図１】本発明に係る配線構造（実施の形態１）を有するスイッチの斜視図である。
【図２】同スイッチにおいて蓋体を外した状態の斜視図である。
【図３】同スイッチの配線構造の構成説明図である。
【図４】同スイッチの配線構造（実施の形態２）の構成説明図である。
【図５】本発明に係るスイッチの配線構造（実施の形態３）を有するスイッチにおいて、蓋体を外した状態の斜視図である。
【図６】同スイッチの配線構造（実施の形態３）を有するスイッチにおいて、蓋体を外した状態の側面図である。
【図７】同スイッチの配線構造の構成説明図である。
【図８】リード線仮保持部材の斜視図である。
【図９】同リード線仮保持部材の裏側から見た斜視図である。
【図１０】本発明に係るスイッチの配線構造（実施の形態４）の構成説明図である。
【図１１】本発明に係るスイッチの配線構造（実施の形態５）の構成説明図である。
【符号の説明】
【０１０１】
Ｆ      ケーブル挿入方向
イ      ケーブル挿入方向Ｆの軸に対して平行な平面
ロ      平面イに対して直交方向
１      スイッチ本体
２      本体ブロック
３      ヘッドブロック
４      ヘッドケース
６      スイッチケース
７      蓋体
９      コンジット
９Ａ    口部（コンジット口部）
１２      配線保持部材（配線配置部）（リード線仮保持手段）
１２−１  配線保持部材（配線配置部）（リード線仮保持手段）
１２−２  配線保持部材（配線配置部）（リード線仮保持手段）
１２−３  配線保持部材（配線配置部）（リード線仮保持手段）
１３    ベース部
１９−１〜１９−６    第１〜第６のリード線配線溝部（配線配置部）（リード線仮保持手段）
２２−１〜２２−６    第１〜第６のリード線仮保持部（リード線仮保持手段）
２４    挟持用突起部
２６    スイッチ端子
２７−１〜２７−６    第１〜第６の圧接端子（リード線接続手段）（圧接手段）
２７ａ  圧接部
３１−１〜３１−６    第１〜第６のリード線
３４−１〜３４−６    第１〜第６のリード線配線溝部（配線配置部）（リード線仮保持手段）
３５−１〜３５−６    第１〜第６のリード線仮保持部（配線配置部）（リード線仮保持手段）
３６    圧接部挿入孔（圧接部挿通スリット）
４０−１〜４０−６    第１〜第６の端子台（リード線接続手段）
４１−１〜４１−６    第１〜第６のリード線配線溝部（配線配置部）（リード線仮保持手段）
【図１】
2008226733.tif 000003
【図２】
2008226733.tif 000004
【図３】
2008226733.tif 000005
【図４】
2008226733.tif 000006
【図５】
2008226733.tif 000007
【図６】
2008226733.tif 000008
【図７】
2008226733.tif 000009
【図８】
2008226733.tif 000010
【図９】
2008226733.tif 000011
【図１０】
2008226733.tif 000012
【図１１】
2008226733.tif 000013